【手続補正書】
【提出日】平成17年8月16日(2005.8.16)
【手続補正１】
【補正対象書類名】明細書
【補正対象項目名】特許請求の範囲
【補正方法】変更
【補正の内容】
【特許請求の範囲】
【請求項１】  画像のシーケンスを表しているビデオ信号を符号化して、符号化されたビデオ信号を形成する方法であって、前記方法が、現在の画像に対するデフォルト基準画像から前記シーケンスの現在の画像の少なくとも一部分の予測を形成するステップを含み、さらに前記方法が、前記現在の画像または前記現在の画像の一部分に対する指示子を提供するステップを含み、前記指示子が、前記符号化されたビデオ信号を復号化する際に前記現在の画像または前記現在の画像の前記一部分にかわる基準画像として使用可能である、前記シーケンスの別の画像を識別することを特徴とする方法。
【請求項２】  請求項１に記載の方法において、前記デフォルトの基準画像の少なくとも一部分または前記現在の画像を前記シーケンスの少なくとも１つの別の画像と比較し、前記デフォルト基準画像または前記現在の画像と前記少なくとも１つの別の画像各々との間の類似性の測度を計算することにより、前記現在の画像または前記現在の画像の前記一部分にかわる基準画像としての使用が可能な前記シーケンスの前記別の画像を識別するステップと、特定の別の画像を使用して計算された前記類似性の測度が所定の基準を満たす場合、前記特定の別の画像を、前記現在の画像または前記現在の画像の前記一部分にかわる基準画像としての使用が可能な前記シーケンスの画像として識別する指示子を出力するステップとを含むことを特徴とする方法。
【請求項３】  請求項１に記載の方法において、前記現在の画像に対する第１のデフォルト基準画像と第２のデフォルト基準画像とから前記現在の画像の少なくとも一部分の予測を形成するステップを含み、前記第１のデフォルト基準画像が時間的に前記現在の画像の前に発生し、前記第２のデフォルト基準画像が時間的に前記現在の画像の後に発生し、前記方法が、前記第１のデフォルト基準画像の少なくとも一部分または前記現在の画像を時間的に前記現在の画像の前に発生する前記シーケンスの少なくとも１つの別の画像と比較し、前記第１のデフォルト基準画像または前記現在の画像と前記少なくとも１つの別の画像各々との間の類似性の測度を計算するステップと、特定の別の画像を使用して計算された前記類似性の測度が所定の基準を満たす場合、前記特定の別の画像を、前記現在の画像または前記現在の画像の前記一部分にかわる基準画像としての使用が可能な前記シーケンスの画像として識別する指示子を出力するステップとを含むことを特徴とする方法。
【請求項４】  請求項１に記載の方法において、さらに、前記デフォルト基準画像の少なくとも一部分または前記現在の画像を複数の別の画像と比較するステップと、前記所定の基準を満たす各別の画像に対する指示子を出力するステップと、前記現在の画像または前記現在の画像の一部分に対して２つ以上の指示子を提供するステップとを含むことを特徴とする方法。
【請求項５】  請求項４に記載の方法において、さらに、前記所定の基準を満たす前記別の画像をランク付けするステップと、前記現在のフレームまたは前記現在の画像の前記一部分と関連付けられた指示子をランクの順序で提供するステップとを含み、前記別の画像が、最初に置かれる前記デフォルト基準画像または現在の画像に最もよく似ていることを特徴とする方法。
【請求項６】  請求項１乃至５のいずれかに記載の方法において、前記指示子が前記符号化されたビデオ信号の画像ヘッダ内に含められることを特徴とする方法。
【請求項７】  請求項１に記載の方法において、前記指示子が前記現在のフレームの一部分に関連付けられている場合に、前記指示子が画像セグメントのヘッダまたはマクロブロック・ヘッダ内に含められることを特徴とする方法。
【請求項８】  請求項１に記載の方法において、ビデオ画像の前記シーケンスがH.263ビデオ圧縮規格に従って符号化され、前記指示子が「補助的エンハンスメント情報」の中に含められることを特徴とする方法。
【請求項９】  請求項１に記載の方法において、別の画像を、前記現在の画像または前記現在の画像の前記一部分にかわる基準画像として使用可能な前記シーケンスの画像として識別する前記指示子が、前記別の画像の時間的基準を示すことを特徴とする方法。
【請求項１０】  請求項１に記載の方法において、Ｂ画像およびＰ画像にかわる基準画像が提供されることを特徴とする方法。
【請求項１１】  請求項１に記載の方法において、Ｐ画像のみにかわる基準画像が提供されることを特徴とする方法。
【請求項１２】  請求項２または３に記載の方法において、前記類似性の測度が、前記デフォルト基準画像と別の画像とのピクセル値の違いを利用して計算された絶対差の合計であることを特徴とする方法。
【請求項１３】  請求項２または３に記載の方法において、前記デフォルト基準画像と別の画像との間の類似性が、画像ヒストグラムを使用することによって判定されることを特徴とする方法。
【請求項１４】  請求項１に記載の方法において、前記ビデオ信号がスケーラブルなビデオ・シーケンスとして符号化され、前記スケーラブルなビデオ・シーケンスの、予測的に符号化されたエンハンスメント層の画像のかわりとなる基準画像が提供されることを特徴とする方法。
【請求項１５】  請求項１に記載の方法において、前記現在の画像または前記画像の一部分とともに前記指示子が提供されることを特徴とする方法。
【請求項１６】  画像のシーケンスを表している符号化されたビデオ信号を復号化する方法であって、前記符号化されたビデオ信号が、前記現在の画像に対するデフォルト基準画像から現在の画像の少なくとも一部分の予測を形成することによって符号化された画像を含み、前記方法が、現在の画像を表している符号化されたビデオ信号を受信するステップと、前記デコーダが前記現在の画像の前記デフォルト基準画像を復号化することができない時に前記現在の画像または前記現在の画像の少なくとも一部分に対して提供される指示子を調べるステップとを含み、前記指示子が、前記符号化されたビデオ信号を復号化する時および前記別の基準画像を基準として前記現在の画像または前記現在の画像の前記一部分を復号化する時に、前記現在の画像または前記現在の画像の前記一部分にかわる基準画像として使用することが可能な前記シーケンスの別の画像を識別することを特徴とする方法。
【請求項１７】  請求項１６に記載の方法において、前記現在の画像または前記現在の画像の前記一部分に対して提供される２つ以上の指示子を調べるステップと、前記２つ以上の指示子各々が、前記符号化されたビデオ信号を復号化する時に前記現在の画像または前記現在の画像の前記一部分にかわる基準画像として使用することが可能な、前記シーケンスの別の画像を識別することを特徴とする方法。
【請求項１８】請求項１６に記載の方法において、２つ以上の指示子が前記現在の画像または前記現在の画像の一部分に対して提供される時、前記指示子がランクに従って前記符号化されたビデオ信号内に整理され、前記指示子が、前記ランクの順序で最初に置かれる、前記デフォルト基準画像または現在の画像に最もよく似ている前記画像を識別し、前記復号化の方法はさらに、前記指示子によってランク順に前記現在の画像または前記現在の画像の前記一部分にかわる基準画像として識別された、前記別の画像を使用するステップを含むことを特徴とする方法。
【請求項１９】  請求項１６に記載の方法において、前記符号化されたビデオ信号の画像ヘッダから、単数または複数の指示子を取得するステップを含むことを特徴とする方法。
【請求項２０】  請求項１６に記載の方法において、前記符号化されたビデオ信号の画像セグメントのヘッダまたはマクロブロック・ヘッダから、前記単数または複数の指示子を取得するステップを含むことを特徴とする方法。
【請求項２１】  請求項１６に記載の方法において、前記H.263ビデオ圧縮規格に従って符号化されたビデオ・シーケンスの「補助的エンハンスメント情報」から、前記単数または複数の指示子を取得するステップを含むことを特徴とする方法。
【請求項２２】  請求項１６に記載の方法において、別の画像を、前記現在の画像または前記現在の画像の前記一部分にかわる基準画像としての使用が可能な前記シーケンスの画像として識別する指示子が、前記別の画像の前記時間的基準を示すことを特徴とする方法。
【請求項２３】  請求項１６に記載の方法において、Ｂ画像およびＰ画像にかわる基準画像が提供されることを特徴とする方法。
【請求項２４】  請求項１６に記載の方法において、Ｐ画像のみにかわる基準画像が提供されることを特徴とする方法。
【請求項２５】    請求項１６に記載の方法において、前記ビデオ信号がスケーラブルなビデオ・シーケンスとして符号化され、前記スケーラブルなビデオ・シーケンスの予測的に符号化されたエンハンスメント層の画像にかわる、基準画像が提供されることを特徴とする方法。
【請求項２６】  画像のシーケンスを表しているビデオ信号を符号化して、符号化されたビデオ信号を形成するビデオ・エンコーダであって、前記ビデオ・エンコーダが、前記現在の画像に対するデフォルト基準画像から前記シーケンスの現在の画像の少なくとも一部分の予測を形成し、さらに、前記現在の画像または前記現在の画像の一部分に対する指示子を提供するように構成され、前記指示子が、前記符号化されたビデオ信号を復号化する時に前記現在の画像または前記現在の画像の前記一部分にかわる基準画像として使用することが可能な前記シーケンスの別の画像を識別することを特徴とするビデオ・エンコーダ。
【請求項２７】  請求項２６に記載のビデオ・エンコーダであって、前記ビデオ・エンコーダは、前記デフォルト基準画像の少なくとも一部分または前記現在の画像を、前記シーケンスの少なくとも１つの別の画像と比較し、前記デフォルト基準画像または前記現在の画像と前記少なくとも１つの別の画像各々との類似性の測度を計算することによって、前記現在の画像または前記現在の画像の前記一部分にかわる基準画像として使用することが可能な前記シーケンスの別の画像を識別するように構成され、特定の別の画像を使用して計算した前記類似性の測度が所定の基準を満たす時に、前記特定の別の画像を、前記現在の画像または前記現在の画像の前記一部分にかわる基準画像としての使用が可能な前記シーケンスの画像として識別する、指示子を出力するように構成されたことを特徴とするビデオ・エンコーダ。
【請求項２８】    請求項２６に記載のビデオ・エンコーダであって、前記ビデオ・エンコーダが、前記現在の画像に対する第一のデフォルト基準画像および第二のデフォルト基準画像から前記現在の画像の少なくとも一部分の予測を形成するように構成され、前記第１のデフォルト基準画像が時間的に前記現在の画像の前に発生し、前記第２のデフォルト基準画像が時間的に前記現在の画像の後に発生し、前記第１のデフォルト基準画像の少なくとも一部分または前記現在の画像を、時間的に前記現在の画像の前に発生する前記シーケンスの少なくとも１つの別の画像と比較し、前記第１のデフォルト基準画像または前記現在の画像と前記少なくとも１つの別の画像各々との間の類似性の測度を計算するように構成され、また、特定の別の画像を使用して計算した前記類似性の測度が所定の基準を満たす時に、前記特定の別の画像を、前記現在の画像または前記現在の画像の前記一部分にかわる基準画像としての使用が可能な前記シーケンスの画像として識別する、指示子を出力するように構成されたことを特徴とするビデオ・エンコーダ。
【請求項２９】  請求項２６に記載のビデオ・エンコーダであって、前記ビデオ・エンコーダはさらに、前記デフォルト基準画像の少なくとも一部分または前記現在の画像と複数の別の画像とを比較するように構成され、前記所定の基準を満たす各別の画像に対する指示子を出力し、前記現在の画像または前記現在の画像の一部分に対し２つ以上の指示子を提供するように構成されたことを特徴とするビデオ・エンコーダ。
【請求項３０】  請求項２９に記載のビデオ・エンコーダであって、前記ビデオ・エンコーダはさらに、前記所定の基準を満たす前記別の代替可能な画像をランク付けし、前記現在のフレームまたは前記現在の画像の前記一部分に関連付けられた指示子をランク順に提供するように構成され、前記別の画像が、最初に置かれる前記デフォルト基準画像または現在の画像に最もよく似ていることを特徴とするビデオ・エンコーダ。
【請求項３１】  請求項２６に記載のビデオ・エンコーダであって、符号化されたビデオ信号の画像ヘッダ内に前記単数または複数の指示子を含むように構成されたことを特徴とするビデオ・エンコーダ
【請求項３２】  請求項２６に記載のビデオ・エンコーダであって、前記指示子が前記現在のフレームの一部分に対して提供された時に、前記指示子が前記符号化されたビデオ信号の画像セグメントのヘッダまたはマクロブロック・ヘッダ内に含められるように構成されたことを特徴とするビデオ・エンコーダ。
【請求項３３】    請求項２６に記載のビデオ・エンコーダであって、前記ビデオ・シーケンスが前記H.263ビデオ圧縮規格に従って符号化され、また、前記ビデオ・エンコーダが、前記指示子を「補助的エンハンスメント情報」の中に含むように構成されたことを特徴とするビデオ・エンコーダ。
【請求項３４】  請求項２６に記載のビデオ・エンコーダであって、前記ビデオ・エンコーダが、前記別の画像の前記時間的基準を、別の画像を前記現在の画像または前記現在の画像の前記一部分にかわる基準画像としての使用が可能な前記シーケンスの画像として識別する、前記指示子として使用するように構成されたことを特徴とするビデオ・エンコーダ。
【請求項３５】  請求項２６に記載のビデオ・エンコーダであって、Ｂ画像およびＰ画像にかわる基準画像を提供するよう構成されたことを特徴とするビデオ・エンコーダ。
【請求項３６】  請求項２６に記載のビデオ・エンコーダであって、Ｐ画像のみにかわる基準画像を提供するよう構成されたことを特徴とするビデオ・エンコーダ。
【請求項３７】  請求項２７または２８に記載のビデオ・エンコーダであって、前記ビデオ・エンコーダが、前記類似性の測度を、前記デフォルト基準画像と別の画像とのピクセル値の違いを利用して計算された絶対差の合計として決定するように構成されたことを特徴とするビデオ・エンコーダ。
【請求項３８】  請求項２７または２８に記載のビデオ・エンコーダであって、前記ビデオ・エンコーダが、画像ヒストグラムを利用して前記デフォルト基準画像と別の画像との間の類似性を判定するように構成されたことを特徴とするビデオ・エンコーダ。
【請求項３９】  請求項２６に記載のビデオ・エンコーダであって、前記ビデオ・エンコーダが、前記ビデオ信号をスケーラブルなビデオ・シーケンスとして符号化し、予測的に符号化されたエンハンスメント層の画像にかわる基準画像を提供するように構成されたことを特徴とするビデオ・エンコーダ。
【請求項４０】  請求項２６に記載のビデオ・エンコーダであって、前記ビデオ・エンコーダが前記現在の画像または前記画像の一部分とともに前記指示子を提供するよう構成されたことを特徴とするビデオ・エンコーダ。
【請求項４１】  画像のシーケンスを表している符号化されたビデオ信号を復号化するためのビデオ・デコーダであって、前記符号化された信号が、前記現在の画像に対するデフォルト基準画像から現在の画像の少なくとも一部分の予測を形成することによって符号化された画像を含み、前記デコーダが、現在の画像を表している符号化されたビデオ信号を受信するように構成され、前記デコーダが前記現在の画像の前記デフォルト基準画像を復号化することができない時、前記デコーダが前記現在の画像または前記現在の画像の一部分に対して提供される指示子を調べるように構成され、前記指示子は、前記現在の画像または前記現在の画像の一部分にかわる基準画像としての使用が可能な前記シーケンスの別の画像を識別し、また、前記現在の画像を前記別の画像を基準として復号化するよう構成されたことを特徴とするビデオ・デコーダ。
【請求項４２】  請求項４１に記載のビデオ・デコーダであって、前記ビデオ・デコーダが、前記現在の画像または前記現在の画像の前記一部分に対して提供される２つ以上の指示子を調べるよう構成され、前記２つ以上の指示子の各々が、前記符号化されたビデオ信号を復号化する時に前記現在の画像または前記現在の画像の前記一部分にかわる基準画像としての使用が可能な前記シーケンスの別の画像を識別することを特徴とするビデオ・デコーダ。
【請求項４３】  請求項４２に記載のビデオ・デコーダであって、２つ以上の指示子が前記現在の画像または前記現在の画像の一部分に対して提供された場合、前記指示子がランクに従って前記符号化されたビデオ信号内に整理され、前記指示子が、前記ランクの順序で最初に置かれる、前記デフォルト基準画像または現在の画像に最もよく似ている前記画像を識別し、前記ビデオ・デコーダがさらに、前記指示子によって前記現在の画像または前記現在の画像の前記一部分にかわる基準画像として識別される、前記別の画像を使用するよう構成されたことを特徴とするビデオ・デコーダ。
【請求項４４】  請求項４１に記載のビデオ・デコーダであって、前記ビデオ・デコーダが、前記符号化されたビデオ信号の画像ヘッダから前記指示子を取得するように構成されたことを特徴とするビデオ・デコーダ。
【請求項４５】  請求項４１に記載のビデオ・デコーダであって、前記ビデオ・デコーダが、前記符号化されたビデオ信号の画像セグメントのヘッダまたはマクロブロック・ヘッダから前記指示子を取得するように構成されたことを特徴とするビデオ・デコーダ。
【請求項４６】  請求項４１に記載のビデオ・デコーダであって、前記ビデオ・デコーダが、前記H.263ビデオ圧縮規格に従って符号化されたビデオ・シーケンスの「補助的エンハンスメント情報」から前記指示子を取得するように構成されたことを特徴とするビデオ・デコーダ。
【請求項４７】  請求項４１に記載のビデオ・デコーダであって、別の画像を、前記現在の画像または前記現在の画像の前記一部分にかわる基準画像として使用することが可能な前記シーケンスの画像として識別する前記指示子が、前記別の画像の前記時間的基準を示すことを特徴とするビデオ・デコーダ。
【請求項４８】  請求項４１に記載のビデオ・デコーダであって、前記ビデオ・デコーダが、前記スケーラブルに符号化されたビデオ・シーケンスの予測的に符号化されたエンハンスメント層の画像のかわりとなる基準画像が提供されるスケーラブルに符号化されたビデオ・シーケンスを、復号化するように構成されたことを特徴とするビデオ・デコーダ。
【請求項４９】  請求項２６乃至４０のいずれかに記載のエンコーダおよび／または請求項４１乃至４８のいずれかに記載のデコーダを含むことを特徴とする無線通信装置。
【請求項５０】  請求項２６乃至４０のいずれかに記載のエンコーダおよび／または請求項４１乃至４８のいずれかに記載のデコーダを含むことを特徴とするマルチメディア端末装置。
【請求項５１】  画像のシーケンスを表している符号化されたビデオ信号であって、前記符号化されたビデオ信号が、前記現在の画像に対するデフォルト基準画像から前記シーケンスの現在の画像の少なくとも一部分の予測を形成することにより符号化された画像を含み、前記符号化されたビデオ信号がさらに、前記現在の画像または前記現在の画像の一部分に対して提供される指示子を含み、前記指示子が、前記符号化されたビデオ信号を復号化する際に前記現在の画像または前記現在の画像の前記一部分にかわる基準画像として使用可能な前記シーケンスの別の画像を識別することを特徴とする、符号化されたビデオ信号。
【請求項５２】  請求項５１に記載の符号化されたビデオ信号であって、前記現在の画像または前記現在の画像の前記一部分に対して提供される２つ以上の指示子を含み、前記２つ以上の指示子各々が、前記符号化されたビデオ信号を復号化する際に前記現在の画像または前記現在の画像の前記一部分にかわる基準画像として使用することが可能な前記シーケンスの別の画像を識別することを特徴とする、符号化されたビデオ信号。
【請求項５３】  請求項５２に記載の符号化されたビデオ信号であって、前記指示子が、ランクの順序に従い前記符号化されたビデオ信号内に含められ、前記指示子が、前記ランクの順序において最初に置かれる前記デフォルト基準画像または現在の画像に最もよく似ている前記画像を識別することを特徴とする、符号化されたビデオ信号。
【請求項５４】  請求項５１に記載の符号化されたビデオ信号であって、前記指示子が前記符号化されたビデオ信号の画像ヘッダ内に含められることを特徴とする、符号化されたビデオ信号。
【請求項５５】  請求項５１に記載の符号化されたビデオ信号であって、前記指示子が前記符号化されたビデオ信号の画像セグメントのヘッダまたはマクロブロック・ヘッダ内に含められることを特徴とする、符号化されたビデオ信号。
【請求項５６】  請求項５１に記載の符号化されたビデオ信号であって、ビデオ画像の前記シーケンスが前記H.263ビデオ圧縮規格に従って符号化され、前記指示子が前記「補助的エンハンスメント情報」の中に含められることを特徴とする、符号化されたビデオ信号。
【請求項５７】  請求項５１に記載の符号化されたビデオ信号であって、別の画像を、前記現在の画像または前記現在の画像の前記一部分にかわる基準画像として使用することが可能な前記シーケンスの画像として識別する前記指示子が、前記別の画像の前記時間的基準を示すことを特徴とする符号化されたビデオ信号。
【請求項５８】  請求項５１に記載の符号化されたビデオ信号であって、Ｂ画像およびＰ画像にかわる基準画像が提供されることを特徴とする符号化されたビデオ信号。
【請求項５９】  請求項５１に記載の符号化されたビデオ信号であって、Ｐ画像のみにかわる基準画像が提供されることを特徴とする符号化されたビデオ信号。
【請求項６０】  請求項５１に記載の符号化されたビデオ信号において、前記ビデオ信号がスケーラブルなビデオ・シーケンスとして符号化され、前記スケーラブルなビデオ・シーケンスの予測的に符号化されたエンハンスメント層の画像のかわりとなる基準画像が提供されることを特徴とする、符号化されたビデオ信号。
【請求項６１】  画像のシーケンスを表しているビデオ信号を符号化する方法において、前記方法が、符号化のために現在の画像を受信するステップと、前記現在の画像に対するデフォルト基準画像から前記現在の画像の時間的予測を形成するステップと、前記デフォルト基準画像を少なくとも１つの別の基準画像と比較するステップと、前記デフォルト基準画像と各別の基準画像との間の類似性の測度を計算するステップとを含み、前記類似性の測度が所定の基準を満たす時、前記別の基準画像を識別する指示子を出力するステップとを含むことを特徴とする方法。
【請求項６２】  請求項６１に記載の方法において、さらに、前記現在の画像に対する第１のデフォルト基準画像および第２のデフォルト基準画像から前記現在の画像の時間的予測を形成するステップを含み、前記第1のデフォルト基準画像が時間的に前記現在の画像の前に発生し、前記第２のデフォルト基準画像が時間的に前記現在の画像の後に発生し、前記方法が、前記第１のデフォルト基準画像と時間的に前記現在の画像の前に発生する少なくとも１つの別の基準画像とを比較するステップと、前記第１のデフォルト基準画像と各別の画像との間の類似性の測度を計算するステップと、前記類似性の測度が所定の基準を満たす時に前記別の基準画像を識別する指示子を出力するステップとを含むことを特徴とする方法。
【請求項６３】  請求項６１または６２に記載の方法において、さらに、前記デフォルト基準画像を複数の別の基準画像と比較するステップと、前記所定の基準を満たす各別の基準画像に対する指示子を出力するステップとを含むことを特徴とする方法。
【請求項６４】  請求項６３に記載の方法において、さらに、前記所定の基準を満たす前記別の基準画像をランク付けするステップと、前記指示子をランクの順序で前記現在のフレームの前記時間的予測と関連付けるステップとを含み、前記別の基準画像が、最初に置かれる前記デフォルト基準画像に最もよく似ていることを特徴とする方法。
【請求項６５】  請求項１乃至６４のいずれかに記載の方法において、前記指示子が画像ヘッダ内に含められることを特徴とする方法。
【請求項６６】  請求項１乃至６５のいずれかに記載の方法において、前記ビデオ信号が前記H.263ビデオ圧縮規格に従って符号化され、前記指示子が「補助的エンハンスメント情報」の中に含められることを特徴とする方法。
【請求項６７】  請求項１乃至６６のいずれかに記載の方法において、前記比較が１度に１つの画像の部分に対して実行されることを特徴とする方法。
【請求項６８】  画像のシーケンスを表しているビデオ信号を符号化する方法であって、前記方法が、符号化のために現在の画像を受信するステップと、前記現在の画像に対するデフォルト基準画像から前記現在の画像の少なくとも一部分の予測を形成するステップと、前記デフォルト基準画像または前記現在の画像の部分を前記シーケンスの少なくとも１つの別の画像の対応する部分と比較して類似性の測度を形成するステップと、前記類似性の測度が所定の基準を満たす場合、前記シーケンスの前記別の画像を識別する指示子を前記現在のフレームの部分に関して出力するステップとを含むことを特徴とする方法。
【請求項６９】  画像のシーケンスを表している符号化されたビデオ信号を復号化する方法であって、前記符号化された信号が、前記現在の画像に対するデフォルト基準画像から現在の画像の時間的予測を形成することにより符号化された画像を含み、前記方法が、現在の画像を表している符号化されたビデオ信号を受信するステップと、少なくとも前記現在の画像の画像ヘッダを復号化するステップとを含み、前記デコーダが前記現在の画像の前記デフォルト基準画像を復号化することができない時、別の基準画像を識別する指示子を調べ、前記指示子が前記現在の画像と関連付けられた場合に、前記別の基準画像を基準として前記現在の画像を復号化するステップとを含むことを特徴とする方法。
【請求項７０】  ビデオ・エンコーダであって、画像のシーケンスを表しているビデオ信号を受信するための入力と、符号化のために現在の画像を受信するための入力と、前記現在の画像に対するデフォルト基準画像から前記現在の画像の時間的予測を形成するための予測コーダと、前記デフォルト基準画像または前記現在の画像を少なくとも１つの別の基準画像と比較して、前記類似性の測度を計算し、前記類似性の測度が所定の基準を満たす時、前記別の基準画像を識別する指示子を出力するためのコンパレータとを含むことを特徴とするビデオ・エンコーダ。
【請求項７１】  画像のシーケンスを表している符号化されたビデオ信号を受信するための入力を含むビデオ・デコーダであって、前記符号化された信号が、前記現在の画像に対するデフォルト基準画像から現在の画像の時間的予測を形成することにより符号化された画像を含み、前記デコーダが、現在の画像を表している符号化されたビデオ信号を受信するための入力および、少なくとも前記現在の画像の画像ヘッダを復号化するためのプロセッサを含み、前記デコーダが前記現在の画像の前記デフォルト基準画像を復号化することができない時、前記デコーダが別の基準画像を識別している指示子を調べるように構成され、また、前記指示子が前記現在の画像と関連付けられた時に前記別の基準画像を基準として前記現在の画像を復号化するように構成されたことを特徴とするビデオ・デコーダ。
【請求項７２】  請求項７０に記載のエンコーダおよび／または請求項７１に記載のデコーダを含むことを特徴とする無線通信装置。